(57)【要約】【課題】フリーアクセスフロアの床下気流を改善すること。【解決手段】床下吹出し式空調機１０の配管５０と複数のケーブル５３とを収納したケーブルラック５２と床置きの複数のケーブル５３等の設置物をフリーアクセスパネル２０とスラブ３０との間の空間に配置するフリーアクセスフロアにおいて、設置物を可撓性をもって覆う板状の空気抵抗低減パネル６０と、床下吹出し式空調機１０からの空気流が空気抵抗低減パネル６０の板状表面に沿って流れるように空気抵抗低減パネル６０の端辺を挿入固定するパネル固定ツール６２及び６４とを設け、前記空気抵抗低減パネル６０が空気抵抗を低減させる気流改善ツール。【選択図】図１
2014173307.tif 000002
【特許請求の範囲】
【請求項１】
空調機の配管と複数ケーブルを収納したケーブルラックと床置きの複数のケーブルとの何れかを含む設置物をフリーアクセスパネル及びスラブ間の床下空間に配置したフリーアクセスフロア用の床下気流の流れを改善する気流改善ツールであって、
前記設置物のフリーアクセスパネル方向及び又はスラブ方向を覆う可撓性を有する板状の空気抵抗低減パネルと、前記空調機から流出された空気流が空気抵抗低減パネルの板状表面に沿って流れるように前記空気抵抗低減パネルの端辺を挿入するパネル固定ツールとを備えたことを特徴とする気流改善ツール。
【請求項２】
空調機の配管及び又は複数ケーブルを収納したケーブルラックとを含む設置物をフリーアクセスパネル及びスラブ間の床下空間に中空に配置したフリーアクセスフロア用の床下気流の流れを改善する気流改善ツールであって、
前記配管及び又はケーブルラックのフリーアクセスパネル方向及びスラブ方向の両面を覆う板状可撓性を有する一対の空気抵抗低減パネルと、前記空調機から流出された空気流が空気抵抗低減パネルの板状表面に沿って流れるように前記一対の空気抵抗低減パネルの端辺を閉じて挿入するパネル固定ツールとを備えたことを特徴とする気流改善ツール。
【請求項３】
複数のケーブルを含む設置物をフリーアクセスパネル及びスラブ間の床下空間に床置き配置したフリーアクセスフロア用の床下気流の流れを改善する気流改善ツールであって、
前記床置き複数のケーブルのフリーアクセスパネル方向面を覆う板状の可撓性を有する空気抵抗低減パネルと、前記空調機から流出された空気流が空気抵抗低減パネルの板状表面に沿って流れるように前記空気抵抗低減パネルの端辺を閉じて挿入するパネル固定ツールとを備えたことを特徴とする気流改善ツール。
【請求項４】
前記空気抵抗低減パネルの端辺に挿入したパネルをパネル固定ツールに固定するための固定ツールカバーを設けたことを特徴とする請求項１から３何れかに記載の気流改善ツール。
【請求項５】
前記パネル固定ツールが、断面三角形状の三角柱形状を成し、三角辺に沿って長尺状に切り込みを開口した立体形状を成すことを特徴とする請求項１から４何れかに記載の気流改善ツール。
【請求項６】
前記空気抵抗低減パネルが、透明又は半透明材であることを特徴とする請求項２から５何れかに記載の気流改善ツール。
【請求項７】
前記空気抵抗低減パネルが、不燃又は難燃性で軽量且つ弾力性の高いポリカプラダン材であることを特徴とする請求項１から６何れかに記載の気流改善ツール。
【請求項８】
空調機の配管と複数ケーブルを収納したケーブルラックと床置きの複数のケーブルとの何れかを含む設置物をフリーアクセスパネル及びスラブ間の床下空間に配置したフリーアクセスフロア用の床下気流の流れを改善する気流改善ツールを備えたフリーアクセスフロアであって、
前記気流改善ツールが、設置物のフリーアクセスパネル方向及び又はスラブ方向を覆う可撓性を有する板状の空気抵抗低減パネルと、前記空調機から流出された空気流が空気抵抗低減パネルの板状表面に沿って流れるように前記空気抵抗低減パネルの端辺を挿入するパネル固定ツールとを備えたことを特徴とするフリーアクセスフロア。
【請求項９】
空調機の配管及び又は複数ケーブルを収納したケーブルラックとを含む設置物をフリーアクセスパネル及びスラブ間の床下空間に中空に配置したフリーアクセスフロア用の床下気流の流れを改善する気流改善ツールを備えたフリーアクセスフロアであって、
前記気流改善ツールが、配管及び又はケーブルラックのフリーアクセスパネル方向及びスラブ方向の両面を覆う板状可撓性を有する一対の空気抵抗低減パネルと、前記空調機から流出された空気流が空気抵抗低減パネルの板状表面に沿って流れるように前記一対の空気抵抗低減パネルの端辺を閉じて挿入するパネル固定ツールとを備えたことを特徴とするフリーアクセスフロア。
【請求項１０】
複数のケーブルを含む設置物をフリーアクセスパネル及びスラブ間の床下空間に床置き配置したフリーアクセスフロア用の床下気流の流れを改善する気流改善ツールを備えたフリーアクセスフロアであって、
前記気流改善ツールが、床置き複数のケーブルのフリーアクセスパネル方向面を覆う板状の可撓性を有する空気抵抗低減パネルと、前記空調機から流出された空気流が空気抵抗低減パネルの板状表面に沿って流れるように前記空気抵抗低減パネルの端辺を閉じて挿入するパネル固定ツールとを備えたことを特徴とするフリーアクセスフロア。
【請求項１１】
前記空気抵抗低減パネルの端辺に挿入したパネルをパネル固定ツールに固定するための固定ツールカバーを設けたことを特徴とする請求項８から９何れかに記載のフリーアクセスフロア。
【請求項１２】
前記パネル固定ツールが、断面三角形状の三角柱形状を成し、三角辺に沿って長尺状に切り込みを開口した立体形状を成すことを特徴とする請求項８から１０何れかに記載のフリーアクセスフロア。
【請求項１３】
前記空気抵抗低減パネルが、透明又は半透明材であることを特徴とする請求項８から１２何れかに記載のフリーアクセスフロア。
【請求項１４】
前記空気抵抗低減パネルが、不燃又は難燃性で軽量且つ弾力性の高いポリカプラダン材であることを特徴とする請求項８から１３何れかに記載のフリーアクセスフロア。
【発明の詳細な説明】
【技術分野】
【０００１】
本発明は、コンピュータを多数設置したデータセンタ等における床下空間にケーブルや配管を施すための二重床であるフリーアクセスフロアの床下気流を改善することができる気流改善ツール及び気流改善ツールを適用したフリーアクセスフロアに関する。
【背景技術】
【０００２】
近年、コンピュータを多数設置したデータセンタ等においては、床下吹出し式空調機を使用し、フリーアクセスフロア床下をダクトとして各サーバラックヘ冷風を送り、このフリーアクセスフロアの床下に冷媒配管・ドレン配管・ケーブル・ケーブルラック・ケーブル配管等を設置することが行われている。
【０００３】
前記データセンタ等におけるフリーアクセスフロアにおいては、前記冷媒配管等の設置物が床下の気流を考慮した構造になっていない為、設置物が障害物となり空調機の風速の低下を招く可能性があり、サーバラック内に収容された電子機器に十分な冷気を送る事ができず、場合によっては温度異常等により、電子機器に影響を与えるというケースがあった。
【０００４】
このような従来技術によるフリーアクセスフロア床下の空気流を改善する技術が記載された文献としては下記の特許文献１が挙げられ、該特許文献１には、フリーアクセスフロアを構成する複数のフリーアクセスパネルにスリットを設け、該スリットに仕切板を挿脱可能に挿入してフリーアクセスパネルの面から垂下させ、床下空間を流れる空気流の流れ方向を仕切板を用いて定めるようにしたことにより、フリーアクセスフロアの床下空間の空気流の流れを変更することができる技術が記載されている。
【先行技術文献】
【特許文献】
【０００５】
【特許文献１】特開２０１１−４７２４０号公報
【発明の概要】
【発明が解決しようとする課題】
【０００６】
前述の特許文献１記載技術は、フリーアクセスパネルの面から垂下させた複数の仕切板により空気流を改善しようとするものであるが、複数の仕切板により壁を作る事により、床下のダクトが分断されてしまう事と床下空間に設置された障害物の抵抗を軽減するものではないという課題と、床下の冷媒配管等の設置物が設置されることを考慮していないために設置物が配置された箇所には仕切板を垂下させることができず、配置物による気流の流れを改善することができないと共に、フリーアクセスパネルの４辺に沿って仕切板を垂下させる構造のため仕切板設置位置及び方向が制限されるという課題があった。
【０００７】
この課題を具体的に説明すると、従来技術による冷媒配管・ドレン配管・ケーブル・ケーブルラック・ケーブル配管等の設置物を床下に配置したフリーアクセスフロアは、図１０に示す如く、コンピュータを設置するフリーアクセスパネル２０と基礎床であるスラブ３０との間の空間に配管５０、複数のケーブル５３を収納したケーブルラック５２、スラブ３０上に置かれた複数のケーブル５３とが配置され、床下吹出し式空調機１０からの冷却空気１０ａを吹き出した場合、設置物が置かれていない空間では直線状に空気流１０ｄが流れるものの、設置物が置かれた空間では乱気流１０ｚが発生して床下吹出し式空調機１０からの冷却空気１０ａの抵抗となって風速が低下し、サーバラック内に収容された電子機器に十分な冷気を送る事ができず、場合によっては温度異常等により、電子機器に影響を与える可能性があるという課題があった。なお、前記配管５０及びケーブルラック５２は、設置物に加重しないように不燃又は難燃性で軽量な素材であり、床下ころがしのケーブル５３等は設置物を上から押さえる重量が必要になるため不燃又は難燃性の重量のある金属素材である。
【０００８】
本発明の目的は、前述の従来技術による課題を解決しようとするものであり、冷媒配管・ドレン配管・ケーブル・ケーブルラック・ケーブル配管等の設置物による空気抵抗を低減してフリーアクセスフロアの床下気流を改善することができる気流改善ツール及び気流改善ツールを適用したフリーアクセスフロアを提供することである。
【課題を解決するための手段】
【０００９】
前記目的を達成するため本発明は、空調機の配管と複数ケーブルを収納したケーブルラックと床置きの複数のケーブルとの何れかを含む設置物をフリーアクセスパネル及びスラブ間の床下空間に配置したフリーアクセスフロア用の床下気流の流れを改善する気流改善ツールであって、
前記設置物のフリーアクセスパネル方向及び又はスラブ方向を覆う可撓性を有する板状の空気抵抗低減パネルと、前記空調機から流出された空気流が空気抵抗低減パネルの板状表面に沿って流れるように前記空気抵抗低減パネルの端辺を挿入するパネル固定ツールとを備えたことを第１の特徴とする。
【００１０】
また、本発明は、空調機の配管及び又は複数ケーブルを収納したケーブルラックとを含む設置物をフリーアクセスパネル及びスラブ間の床下空間に中空に配置したフリーアクセスフロア用の床下気流の流れを改善する気流改善ツールであって、
前記配管及び又はケーブルラックのフリーアクセスパネル方向及びスラブ方向の両面を覆う板状可撓性を有する一対の空気抵抗低減パネルと、前記空調機から流出された空気流が空気抵抗低減パネルの板状表面に沿って流れるように前記一対の空気抵抗低減パネルの端辺を閉じて挿入するパネル固定ツールとを備えたことを第２の特徴とする。
【００１１】
また、本発明は、複数のケーブルを含む設置物をフリーアクセスパネル及びスラブ間の床下空間に床置き配置したフリーアクセスフロア用の床下気流の流れを改善する気流改善ツールであって、
前記床置き複数のケーブルのフリーアクセスパネル方向面を覆う板状の可撓性を有する空気抵抗低減パネルと、前記空調機から流出された空気流が空気抵抗低減パネルの板状表面に沿って流れるように前記空気抵抗低減パネルの端辺を閉じて挿入するパネル固定ツールとを備えたことを第３の特徴とする。
【００１２】
前記第１から第３何れかの特徴の気流改善ツールにおいて、前記空気抵抗低減パネルの端辺に挿入したパネルをパネル固定ツールに固定するための固定ツールカバーを設けたことを第４の特徴とし、前記パネル固定ツールが、断面三角形状の三角柱形状を成し、三角辺に沿って長尺状に切り込みを開口した立体形状を成すことを第５の特徴とし、前記第１から第５の特徴の気流改善ツールにおいて、前記空気抵抗低減パネルが、透明又は半透明材であることを第６の特徴とし、前記第１から第６の特徴の気流改善ツールにおいて、前記空気抵抗低減パネルが、不燃又は難燃性で軽量且つ弾力性の高いポリカプラダン材であることを第７の特徴とする。
【００１３】
更に、本発明は、空調機の配管と複数ケーブルを収納したケーブルラックと床置きの複数のケーブルとの何れかを含む設置物をフリーアクセスパネル及びスラブ間の床下空間に配置したフリーアクセスフロア用の床下気流の流れを改善する気流改善ツールを備えたフリーアクセスフロアであって、
前記気流改善ツールが、設置物のフリーアクセスパネル方向及び又はスラブ方向を覆う可撓性を有する板状の空気抵抗低減パネルと、前記空調機から流出された空気流が空気抵抗低減パネルの板状表面に沿って流れるように前記空気抵抗低減パネルの端辺を挿入するパネル固定ツールとを備えたことを第８の特徴とする。
【００１４】
また、本発明は、空調機の配管及び又は複数ケーブルを収納したケーブルラックとを含む設置物をフリーアクセスパネル及びスラブ間の床下空間に中空に配置したフリーアクセスフロア用の床下気流の流れを改善する気流改善ツールを備えたフリーアクセスフロアであって、
前記気流改善ツールが、配管及び又はケーブルラックのフリーアクセスパネル方向及びスラブ方向の両面を覆う板状可撓性を有する一対の空気抵抗低減パネルと、前記空調機から流出された空気流が空気抵抗低減パネルの板状表面に沿って流れるように前記一対の空気抵抗低減パネルの端辺を閉じて挿入するパネル固定ツールとを備えたことを第９の特徴とする。
【００１５】
また、本発明は、複数のケーブルを含む設置物をフリーアクセスパネル及びスラブ間の床下空間に床置き配置したフリーアクセスフロア用の床下気流の流れを改善する気流改善ツールを備えたフリーアクセスフロアであって、
前記気流改善ツールが、床置き複数のケーブルのフリーアクセスパネル方向面を覆う板状の可撓性を有する空気抵抗低減パネルと、前記空調機から流出された空気流が空気抵抗低減パネルの板状表面に沿って流れるように前記空気抵抗低減パネルの端辺を閉じて挿入するパネル固定ツールとを備えたことを第１０の特徴とする。
【００１６】
また、本発明は、第８から１０何れかの特徴のフリーアクセスフロアにおいて、前記空気抵抗低減パネルの端辺に挿入したパネルをパネル固定ツールに固定するための固定ツールカバーを設けたことを第１１の特徴とし、前記パネル固定ツールが、断面三角形状の三角柱形状を成し、三角辺に沿って長尺状に切り込みを開口した立体形状を成すことを第１２の特徴とし、前記第７から第１２の特徴のフリーアクセスフロアにおいて、前記空気抵抗低減パネルが、透明又は半透明材であることを第１３の特徴とし、第７から１２何れかの特徴のフリーアクセスフロアにおいて、前記空気抵抗低減パネルが、不燃又は難燃性で軽量且つ弾力性の高いポリカプラダン材であることを第１４の特徴とする。
【発明の効果】
【００１７】
本発明による気流改善ツール及び気流改善ツールを適用したフリーアクセスフロアは、空調機の配管と複数ケーブルを収納したケーブルラックと床置きの複数のケーブルとの何れかを含む設置物のフリーアクセスパネル方向及び又はスラブ方向を覆う可撓性を有する板状の空気抵抗低減パネルと、前記空調機から流出された空気流が空気抵抗低減パネルの板状表面に沿って流れるように前記空気抵抗低減パネルの端辺を挿入するパネル固定ツールとを備えたことによって、空気抵抗低減パネルが設置物の表面を覆って設置物による空気抵抗を低減し、フリーアクセスフロアの床下気流を改善することができる。
【図面の簡単な説明】
【００１８】
【図１】本発明の実施形態による気流改善ツールを適用したフリーアクセスフロアを説明するための図。
【図２】本発明の実施形態による配管用の気流改善ツールを説明するための図。
【図３】本発明の実施形態によるケーブルラック用の気流改善ツールを説明するための図。
【図４】本発明の実施形態による床面設置ケーブル用の気流改善ツールを説明するための図。
【図５】本発明の実施形態によるフリーアクセスフロアの平面図。
【図６】本発明の実施形態による配管用気流改善ツールを説明するための図。
【図７】本発明の実施形態によるケーブルラック用気流改善ツールを説明するための図。
【図８】本発明の実施形態による床置き複数ケーブル用気流改善ツールを説明するための図。
【図９】本発明の実施形態による気流改善ツールの組み立てを説明するための図。
【図１０】従来技術によるフリーアクセスフロアを説明するための図。
【発明を実施するための形態】
【００１９】
以下、本発明による気流改善ツール及び気流改善ツールを適用したフリーアクセスフロアの一実施形態を図面を参照して詳細に説明する。
［構成］
本実施形態による気流改善ツールを適用したフリーアクセスフロアは、図１に示す如く、空調機の冷媒配管・ドレン配管等の配管５０と、複数のケーブル５３を収納したケーブルラック５２と、スラブ３０上に床置きの複数のケーブル５３とが配置されたフリーアクセスパネル２０とスラブ３０間の床下空間において、床下吹出し式空調機１０からの冷却空気１０ａの流れに沿って前記配管５０を覆う空気抵抗低減パネル６０及び該空気抵抗低減パネル６０を固定するためのパネル固定ツール６２とを含む配管用気流改善ツールと、同様に冷却空気１０ａの流れに沿ってケーブルラック５２を覆う空気抵抗低減パネル６０及び該空気抵抗低減パネル６０を固定するためのパネル固定ツール６２とを含むケーブルラック用気流改善ツールと、同様に冷却空気１０ａの流れに沿って複数のケーブル５３を覆う空気抵抗低減パネル６０及び該空気抵抗低減パネル６０を固定するためのパネル固定ツール６２とを含む床置きケーブル用気流改善ツールとが配置され、前記配管用気流改善ツールとケーブルラック用気流改善ツールとケーブル用気流改善ツールの空気抵抗低減パネル６０が、床下吹出し式空調機１０からの冷却空気１０ａの流れを阻害しないように構成されている。
【００２０】
前記配管用気流改善ツールとケーブルラック用気流改善ツールは、図９他に示す如く、配置物を覆う板状の空気抵抗低減パネル６０と、該空気抵抗低減パネル６０をパネル挿入用切り込み６４ｂに挿入するための概略三角柱立体形状のパネル固定ツール６４と、該空気抵抗低減パネル６０のパネル挿入用切り込み６４ｂに挿入されたパネル固定ツール６４を強固に固定するための固定ツールカバー６５とから構成される。
【００２１】
前記空気抵抗低減パネル６０は、図２及び図９に示す如く、ポリカプラダン等の不燃又は難燃性で軽量且つ弾力性の高い材質を概略細長板形状に生成し、端部に後述する固定ツールカバー６５のパネル固定用突起６５ａを挿入するためのパネル固定用切欠き６０ａを開口したものであって、カッター等で加工し易く折れ曲がらず湾曲し易い素材であればポリカプラダンに限らず代用が可能あり、該空気抵抗低減パネル６０により設置物を流線形に覆うことによって空気抵抗を軽減するものである。また、空気抵抗低減パネル６０は、パネル内部の配管等の状態を外部から容易に目視可能にするため透明又は半透明であるが、不透明であっても良い。
【００２２】
前記配管用気流改善ツール及びケーブルラック用気流改善ツールのパネル固定ツール６４は、図２、図４、図９に示す如く、概略三角柱形状を成し、同一頂点の三角辺の２辺に沿って長尺状に開口したパネル挿入用切り込み６４ｂに空気抵抗低減パネル６０の両端辺を差し込むことにより空気抵抗低減パネル６０を流線形に成形し、空調機の風力で空気抵抗低減パネル６０のズレや飛散を防止するための固定機能を有し、空気抵抗低減パネル６０と同性質材により形成される。
【００２３】
前記床置きケーブル用気流改善ツールのパネル固定ツール６２は、図３に示す如く、概略直角三角柱形状を成し、長辺に長尺状に開口したパネル挿入用切り込み６４ｂに空気抵抗低減パネル６０の両端辺を差し込むことにより空気抵抗低減パネル６０を流線形に成形し、空調機の風力で空気抵抗低減パネル６０のズレや飛散を防止するための固定機能を有し、空気抵抗低減パネル６０と同性質材により形成される。
【００２４】
前記固定ツールカバー６５は、図９及び図２に示す如く、前記パネル固定ツール６４の三角面に比べて大面積相似形の概略三角板形状を成し、前記空気抵抗低減パネル６０を挿入したパネル固定ツール６４を更に固定するためのパネル固定用突起６５ａを有し、空気抵抗低減パネル６０と同性質材により形成される。
【００２５】
このように構成された配管用気流改善ツールは、図６に示す如く、フリーアクセスパネル２０とスラブ３０間の床下空間において、円筒状の配管５０の上下面を覆うように一対の空気抵抗低減パネル６０を配置し、該一対の空気抵抗低減パネル６０の両端辺をパネル固定ツール６２及び図示しない固定ツールカバー６５を固定するように配置される。
【００２６】
前記ケーブルラック用気流改善ツールは、図７に示す如く、フリーアクセスパネル２０とスラブ３０間の床下空間において、複数のケーブル５３を収納する断面矩形のケーブルラック５２の上下面を覆うように一対の空気抵抗低減パネル６０を配置し、該一対の空気抵抗低減パネル６０の両端辺をパネル固定ツール６２及び図示しない固定ツールカバー６５を固定するように配置される。
【００２７】
前記ケーブル用気流改善ツールは、図８に示す如く、フリーアクセスパネル２０とスラブ３０間の床下空間において、該スラブ３０上に置かれた複数のケーブル５３の上面を覆うように空気抵抗低減パネル６０を配置し、該一対の空気抵抗低減パネル６０の両端辺をパネル固定ツール６４及び図示しない固定ツールカバー６５を固定するように配置される。
【００２８】
このように構成された気流改善ツールを適用したフリーアクセスフロアは、例えば、ケーブルラック５２に注目した場合、図５に示す如く、床下の長尺状のケーブルラック５２の床下吹出し式空調機１０からの吹き出した冷却空気を阻害しないようにケーブルラック５２の表面を空気抵抗低減パネル６０が流線形状にケーブルラック用気流改善ツールが覆うことによって、ケーブルラック用気流改善ツールが、床下吹出し式空調機１０からの冷却空気１０ａの流れを阻害せずに設置物による空気抵抗を低減し、フリーアクセスフロアの床下気流を改善することができる。また、配管用気流改善ツール及びケーブル用気流改善ツールも同様に設置物の表面を覆って床下吹出し式空調機１０からの冷却空気１０ａの流れを阻害せずに設置物による空気抵抗を低減し、フリーアクセスフロアの床下気流を改善することができる。更に本実施形態による気流改善ツールを適用したフリーアクセスフロアは、少なくとも空気抵抗低減パネル６０を透明又は半透明としたことによって、空気抵抗低減パネル６０内部の配管等の状態を外部から容易に確認し、保守性を向上することもできる。
【符号の説明】
【００２９】
１０  床下吹出し式空調機、１０ａ  冷却空気、１０ｄ  空気流、１０ｚ  乱気流、
２０  フリーアクセスパネル、３０  スラブ、５０  配管、５３  ケーブル、
５２  ケーブルラック、６０  空気抵抗低減パネル、
６０ａ  パネル固定用切欠き、６２及び６４  パネル固定ツール、
６４ｂ  パネル挿入用切込み、６５  固定ツールカバー、
６５ａ  パネル固定用突起
【図１】
2014173307.tif 000003
【図２】
2014173307.tif 000004
【図３】
2014173307.tif 000005
【図４】
2014173307.tif 000006
【図５】
2014173307.tif 000007
【図６】
2014173307.tif 000008
【図７】
2014173307.tif 000009
【図８】
2014173307.tif 000010
【図９】
2014173307.tif 000011
【図１０】
2014173307.tif 000012